(57)【要約】【課題】  自動車教習所において、受講者に対して適切に自動車関連商品等の情報を提供し、容易にその詳細な資料の取得を可能として、その購入を支援する。【解決手段】  広告情報記憶部を備え、所定のスケジュールに従って、広告情報を所定の表示装置２０に出力する教習所サーバ１０と、受講者コード、及び広告情報における資料請求コードを入力し、これらを保有する請求情報を、教習所サーバを経由し又は経由することなく、管理サーバに送信するユーザ端末５０，８０と、広告情報を記憶する配信情報記憶部を備え、この広告情報を教習所サーバに配信し、かつ、ユーザ端末からの請求情報を受信して、当該ユーザ端末において受信可能に応答情報を送信するとともに、教習所サーバから受信した受講者コードに対応する受講者情報を広告サーバに送信する管理サーバ３０と、少なくともサーバ１０及び３０を接続する通信回線９０とを有する教習所システム。【選択図】  図１
2005234843.tif 000002
【特許請求の範囲】
【請求項１】
受講者に対して広告情報を提供する教習所システムであって、
広告情報を記憶する広告情報記憶部を備え、管理サーバから受信した広告情報を前記広告情報記憶部に記憶し、所定のスケジュールに従って、前記広告情報記憶部に記憶された前記広告情報を所定の表示装置に出力する一又は二以上の教習所サーバと、
受講者コード、及び前記広告情報に含まれる資料請求コードを入力し、前記受講者コード及び前記資料請求コードを保有する請求情報を、前記教習所サーバを経由して、又は前記教習所サーバを経由することなく、管理サーバに送信するユーザ端末と、
前記広告情報を記憶する配信情報記憶部を備え、前記配信情報記憶部に記憶された前記広告情報を前記教習所サーバに配信し、前記ユーザ端末からの前記請求情報を受信するとともに、前記教習所サーバから前記受講者コードに対応する受講者情報を受信し、前記請求情報に対する応答情報を、前記ユーザ端末において受信可能に送信し、かつ、前記受講者情報を広告サーバに送信する前記管理サーバと、
少なくとも前記教習所サーバ及び前記管理サーバを接続する通信回線と、を有する
ことを特徴とする教習所システム。
【請求項２】
前記資料請求コードを入力するユーザ端末が、前記教習所サーバに接続され、教習所において使用されるエントランス端末であり、
当該エントランス端末が、受講者カードから前記受講者コードを入力するとともに、受講者の電子メールアドレスを入力し、前記受講者コード、前記電子メールアドレス、及び前記資料請求コードを保有する前記請求情報を、前記教習所サーバに送信し、
前記教習所サーバが、受信した前記請求情報を前記管理サーバに送信し、
前記管理サーバが、受信した前記請求情報における前記受講者コードにもとづいて、当該管理サーバにおける受講者情報記憶部から前記受講者情報を取得し、かつ、前記請求情報に対する応答情報を前記電子メールアドレス又は前記受講者情報における電子メールアドレスの少なくともいずれか宛に送信する
ことを特徴とする請求項１記載の教習所システム。
【請求項３】
前記資料請求コードを入力するユーザ端末が、前記教習所サーバに接続され、教習所において使用されるエントランス端末であり、
当該エントランス端末が、受講者カードから前記受講者コードを入力するとともに、受講者の電子メールアドレスを入力し、前記受講者コード、前記電子メールアドレス、及び前記資料請求コードを保有する前記請求情報を、前記教習所サーバに送信し、
前記教習所サーバが、受信した前記請求情報における前記受講者コードにもとづき当該教習所サーバにおける受講者情報記憶部から前記受講者コードに対応する受講者情報を取得して、前記電子メールアドレス、前記資料請求コード、及び前記受講者情報を前記管理サーバに送信し、
前記管理サーバが、前記請求情報に対する応答情報を前記電子メールアドレス又は前記受講者情報における電子メールアドレスの少なくともいずれか宛に送信する
ことを特徴とする請求項１記載の教習所システム。
【請求項４】
前記資料請求コードを入力するユーザ端末が、前記通信回線を介して前記管理サーバに接続する受講者端末であり、
当該受講者端末が、前記受講者コード及び前記資料請求コードを保有する請求情報を、前記通信回線を介して前記管理サーバに送信し、
前記管理サーバが、前記教習所サーバから前記受講者コードに対応する前記受講者情報を、前記通信回線を介して取得し、前記請求情報に対する応答情報を、前記通信回線を介して前記受講者端末に送信する
ことを特徴とする請求項１記載の教習所システム。
【請求項５】
前記ユーザ端末が、前記広告情報に対応する商品について購入希望情報、及び受講者コードを、前記教習所サーバを経由して、又は前記教習所サーバを経由することなく、前記管理サーバに送信し、
前記管理サーバが、前記受講者コードにもとづいて、前記教習所サーバから当該受講者コードに対応する受講者情報及び成績情報を受信し、この受講者情報及び成績情報と、前記購入希望情報を前記広告サーバに送信する
ことを特徴とする請求項１〜４のいずれかに記載の教習所システム。
【請求項６】
前記ユーザ端末が入力する前記資料請求コードが、前記表示装置に表示された前記広告情報におけるものである
ことを特徴とする請求項１〜５のいずれかに記載の教習所システム。
【請求項７】
前記所定のスケジュールが、教習の開始又は終了タイミングに合わせて、前記広告情報の提供を行うものである
ことを特徴とする請求項１〜６のいずれかに記載の教習所システム。
【請求項８】
前記応答情報が、資料請求が行われたことを確認するための情報と、景品を有する
ことを特徴とする請求項１〜７のいずれかに記載の教習所システム。
【請求項９】
前記広告サーバが、前記広告情報を前記管理サーバに送信する
ことを特徴とする請求項１〜８のいずれかに記載の教習所システム。
【請求項１０】
前記教習所サーバが、少なくとも所定の自動車教習所管理ソフトウェア及び所定の学科教習ソフトウェアをインストールされたものである
ことを特徴とする請求項１〜９のいずれかに記載の教習所システム。
【請求項１１】
受講者に対して広告情報を提供する教習所広告提供方法であって、
管理サーバが、当該管理サーバにおける配信情報記憶部に記憶された広告情報を教習所サーバに配信し、
教習所サーバが、前記広告情報を受信して、当該教習所サーバにおける広告情報記憶部に記憶し、所定のスケジュールに従って、前記広告情報記憶部に記憶された前記広告情報を所定の表示装置に出力し、
ユーザ端末が、受講者コード、及び前記広告情報に含まれる資料請求コードを入力し、前記受講者コード及び前記資料請求コードを保有する請求情報を、前記教習所サーバを経由して、又は前記教習所サーバを経由することなく、前記管理サーバに送信し、
前記管理サーバが、前記請求情報を受信して、前記請求情報に対する応答情報を、前記ユーザ端末において受信可能に送信し、かつ、前記教習所サーバから受信した前記受講者コードに対応する受講者情報を広告サーバに送信する
ことを特徴とする教習所広告提供方法。
【請求項１２】
受講者に対して広告情報を提供するための教習所広告提供プログラムであって、
管理サーバに、当該管理サーバにおける配信情報記憶部に記憶された広告情報を教習所サーバへ配信させ、
前記教習所サーバに、受信した前記広告情報を当該教習所サーバにおける広告情報記憶部に記憶させ、所定のスケジュールに従って、前記広告情報記憶部に記憶された前記広告情報を所定の表示装置に出力させ、
ユーザ端末に、受講者コード、及び前記広告情報に含まれる資料請求コードを入力させ、前記受講者コード及び前記資料請求コードを保有する請求情報を、前記教習所サーバを経由して、又は前記教習所サーバを経由することなく、前記管理サーバへ送信させ、
前記管理サーバに、受信した前記請求情報に対する応答情報を、前記ユーザ端末において受信可能に送信させ、かつ、前記教習所サーバから受信した前記受講者コードに対応する受講者情報を広告サーバへ送信させる
ことを実行させるための教習所広告提供プログラム。
【請求項１３】
受講者に対する広告情報の提供を支援する教習所広告提供管理サーバであって、
広告ごとに資料請求コードを備えた広告情報を記憶する配信情報記憶部と、
景品を記憶する景品記憶部と、
前記配信情報記憶部に記憶された前記広告情報を、一又は二以上の教習所サーバに配信する広告配信部と、
受講者により使用されるユーザ端末から受講者コード及び前記資料請求コードを保有する請求情報を、前記教習所サーバを経由して、又は前記教習所サーバを経由することなく受信し、資料請求が行われたことを確認するための情報と、前記景品記憶部に記憶された景品を有する応答情報を、前記ユーザ端末において受信可能に送信する請求確認部と、
前記教習所サーバから前記受講者コードに対応する受講者情報を受信し、この受講者情報を広告サーバに送信する受講者情報提供部と、を備えた
ことを特徴とする教習所広告提供管理サーバ。
【発明の詳細な説明】
【技術分野】
【０００１】
本発明は、自動車教習所の受講者に広告情報を提供する教習所システム、教習所広告提供方法、教習所広告提供プログラム、及び教習所広告提供管理サーバに関する。
【背景技術】
【０００２】
従来、自動車教習所における教習の申込みや、予約、入金、進捗管理等の各種業務は、手作業により行われていた。
しかし、現在ではこれらの業務をシステム化することにより、その手続きを効率良く行うことが可能となっている（例えば、特許文献１参照。）。
また、インターネットなどのネットワークを介して、教習の申込みや予約等を可能とするほか、教習所や教習に関する情報を広く一般に提供することの可能なシステムなども提案されている（例えば、特許文献２参照。）。
【０００３】
【特許文献１】特開平５−２３３６５２号公報
【特許文献２】特開２００２−２９７９４３号公報
【発明の開示】
【発明が解決しようとする課題】
【０００４】
ここで、自動車教習所における受講者は、一般に自動車や自動車関連商品を将来購入する予定者であるということができる。また、受講者の多くは特定の年齢層に集中しており、ターゲット層が絞られた自動車関連商品等の購入予備軍であるといえる。
したがって、自動車教習所において、受講者に対し、適切に自動車関連商品等の情報を提供するとともに、容易に詳細な資料の入手を可能として、その購入を支援することができれば、受講者は、教習期間中に購入する自動車等のイメージを膨らませたり、あるいは購入を決定したりすることが可能となる。
また、これによって、受講者の教習に対する学習意欲を増進することも可能になると考えられる。これは、受講者のみならず、自動車教習所にとっても望ましい。
【０００５】
さらに、自動車関連商品等の販売者にとっては、その商品の有力な販売機会を得ることができ、自動車教習所にとっても、このような販売者から広告料を得ることが可能となる。
しかしながら、従来の自動車教習所におけるシステムは、これらを実現可能なものではなく、自動車教習所において、受講者に対し、積極的に自動車関連商品等の購買意欲を増進して、その購買に適切に結びつけることが可能な仕組みは存在しなかった。
【０００６】
本発明は、上記の事情にかんがみなされたものであり、自動車教習所において、受講者に対し、適切に自動車関連商品等の情報を提供するとともに、容易にその詳細な資料を取得可能とし、また所定の成績を収めた場合には、商品等の割引サービスを提供することにより、その商品等の購入を支援することが可能な教習所システム、教習所広告提供方法、教習所広告提供プログラム、及び教習所広告提供管理サーバの提供を目的とする。
【課題を解決するための手段】
【０００７】
上記目的を達成するため、本発明の教習所システムは、受講者に対して広告情報を提供する教習所システムであって、広告情報を記憶する広告情報記憶部を備え、管理サーバから受信した広告情報を広告情報記憶部に記憶し、所定のスケジュールに従って、広告情報記憶部に記憶された広告情報を所定の表示装置に出力する一又は二以上の教習所サーバと、受講者コード、及び広告情報に含まれる資料請求コードを入力し、受講者コード及び資料請求コードを保有する請求情報を、教習所サーバを経由して、又は教習所サーバを経由することなく、管理サーバに送信するユーザ端末と、広告情報を記憶する配信情報記憶部を備え、配信情報記憶部に記憶された広告情報を教習所サーバに配信し、ユーザ端末からの請求情報を受信するとともに、教習所サーバから受講者コードに対応する受講者情報を受信し、請求情報に対する応答情報を、ユーザ端末において受信可能に送信し、かつ、受講者情報を広告サーバに送信する管理サーバと、少なくとも教習所サーバ及び管理サーバを接続する通信回線とを有する構成としてある。
【０００８】
教習所システムをこのような構成にすれば、教習所は、管理サーバから教習所サーバに広告情報の配信を受けて、これを受講者に提供することができる。
例えば、教習所のホールなどに大型液晶テレビ等の表示装置を設け、これに広告映像を表示することによって、教習の開始時間待ちをしている受講者に対して効果的に広告情報を提供することが可能となる。
また、各広告ごとに、その広告についての資料を請求するための識別コードである資料請求コードを表示し、その資料請求コードと受講者コードをユーザ端末に入力して管理サーバへ送信することで、受講者に対して容易にその資料を提供することが可能となる。
【０００９】
すなわち、管理サーバにより、教習所サーバから受信した、資料請求を行った受講者の情報、例えば、受講者の氏名、住所、電話番号、電子メールアドレス等の情報を、広告情報の提供者側により使用される広告サーバに送信することができる。
これによって、広告サーバなどからユーザ端末へ資料情報を送信したり、あるいは広告情報の提供者から、その受講者に対してよりきめ細かな営業を行うことも可能となる。
【００１０】
なお、「ユーザ端末」は、受講者により使用される端末を意味するものであり、教習所における教習所サーバに接続された端末の他、受講者自身が保有するパーソナルコンピュータや携帯電話機、ＰＨＳ、ＰＤＡ等の端末を含むものとして用いている。
【００１１】
また、本発明の「ユーザ端末」は、教習所サーバに接続され、教習所において使用されるエントランス端末と、通信回線を介して管理サーバに接続する受講者端末とを含むものである。受講者から入力された情報は、ユーザ端末がエントランス端末である場合は、教習所サーバを経由した後、通信回線を介して管理サーバに送信され、ユーザ端末が受講者端末である場合は、教習所サーバを経由することなく、通信回線を介して管理サーバに送信される。
【００１２】
そして、「応答情報」は、ユーザ端末がいずれの場合であっても、受講者端末において受信可能とするため、受講者の電子メールアドレス宛に送信することができる。また、ユーザ端末が受講者端末である場合には、受講者端末自体に送信することもできる。
さらに、ユーザ端末がエントランス端末である場合、資料請求にあたって、受講者の電子メールアドレスを入力可能とする機能を備えるものとすることが好ましい。もちろん、教習所サーバ等における受講者情報に、受講者に対する電子メールアドレスが保有されている場合には、当該電子メールアドレスを使用するようにすることもできる。
すなわち、本発明における「ユーザ端末において受信可能に送信する」とは、ユーザ端末自体に対して送信する場合と、受講者の電子メールアドレス宛に送信する場合とを含むものとして用いている。
【００１３】
また、「広告情報」としては、特に自動車関連商品に関するものが好ましいが、これに限定されるものではなく、その他の様々な広告とすることができる。例えば、化粧品に関する広告や、購買層である若者を対象にしたその他の広告とすることも好ましい。さらに、「広告情報」としては、本発明のシステム専用のもののみならず、テレビ若しくは劇場等において、一般に放送又は放映されているＣＭを用いてもかまわない。
【００１４】
「表示装置」については、特に限定されるものではないが、有線又は無線により教習所サーバに接続された一又は二以上のディスプレイとすることができ、上述のように、例えば大型の液晶テレビなどとすることが好ましい。
「資料請求コード」は、数字や文字、記号等により構成することができる。また、バーコードや二次元コードにより構成することもできる。この場合、ユーザ端末にバーコードリーダや二次元コードリーダを接続することによって、これらのコードを読み取るようにすることができる。また、「受講者コード」についても、同様の構成のものとすることができる。
「広告サーバ」は、広告情報の提供者側により使用される情報処理装置であり、この広告サーバに受講者情報を送信することによって、受講者に対し、広告提供者側からより詳細な資料の提供を可能とするものである。
【００１５】
「教習所サーバから受講者コードに対応する受講者情報を受信」するタイミングについては、特に限定するものではない。例えば、教習所サーバに受講者情報を登録する際に、教習所サーバから管理サーバに受講者情報を送信し、管理サーバにおいて受講者情報を記憶させておくようにすることができる。また、管理サーバがユーザ端末から請求情報を受信したタイミングで、当該受講者情報を教習所サーバから受信するようにすることもできる。これは、以下においても同様である。
【００１６】
また、本発明の教習所システムは、資料請求コードを入力するユーザ端末が、教習所サーバに接続され、教習所において使用されるエントランス端末であり、当該エントランス端末が、受講者カードから受講者コードを入力するとともに、受講者の電子メールアドレスを入力し、受講者コード、電子メールアドレス、及び資料請求コードを保有する請求情報を、教習所サーバに送信し、教習所サーバが、受信した請求情報を管理サーバに送信し、管理サーバが、受信した請求情報における受講者コードにもとづいて、当該管理サーバにおける受講者情報記憶部から受講者情報を取得し、かつ、請求情報に対する応答情報を電子メールアドレス又は受講者情報における電子メールアドレスの少なくともいずれか宛に送信する構成としてある。
【００１７】
また、本発明の教習所システムは、資料請求コードを入力するユーザ端末が、教習所サーバに接続され、教習所において使用されるエントランス端末であり、当該エントランス端末が、受講者カードから受講者コードを入力するとともに、受講者の電子メールアドレスを入力し、受講者コード、電子メールアドレス、及び資料請求コードを保有する請求情報を、教習所サーバに送信し、教習所サーバが、受信した請求情報における受講者コードにもとづき当該教習所サーバにおける受講者情報記憶部から受講者コードに対応する受講者情報を取得して、電子メールアドレス、資料請求コード、及び受講者情報を管理サーバに送信し、管理サーバが、請求情報に対する応答情報を電子メールアドレス又は受講者情報における電子メールアドレスの少なくともいずれか宛に送信する構成としてある。
【００１８】
教習所システムをこのような構成にすれば、受講者は、自動車教習所において、教室や実技教習への入退出管理等のために使用されるエントランス端末に接続されたカードリーダなどに、受講者カードを読み取らせるとともに、エントランス端末に資料請求コードを入力することによって、広告情報についての資料請求を行うことができる。
この場合、受講者の受講者コードは、受講者カードからカードリーダを介してユーザ端末に読み込むことができ、受講者は、これを手入力する必要はない。
また、エントランス端末において、広告情報の資料請求コードを一覧表示し、受講者による選択入力を可能とすることによって、受講者による資料請求コードの入力負荷を軽減することも可能である。
【００１９】
なお、「エントランス端末」は、教室等への入退出のための入力端末としての機能を備えるほか、予約確認や新規予約等のための入力端末としての機能を備えるものとすることができる。
また、教習所サーバにおける受講者情報に、受講者に対する応答情報を送信するための電子メールアドレスが保有されていない場合のため、資料請求にあたって、受講者の電子メールアドレスを入力可能とする機能を備えるものとすることが好ましい。
【００２０】
また、本発明の教習所システムは、資料請求コードを入力するユーザ端末が、通信回線を介して管理サーバに接続する受講者端末であり、当該受講者端末が、受講者コード及び資料請求コードを保有する請求情報を、通信回線を介して管理サーバに送信し、管理サーバが、教習所サーバから受講者コードに対応する受講者情報を、通信回線を介して取得し、請求情報に対する応答情報を、通信回線を介して受講者端末に送信する構成としてある。
【００２１】
教習所システムをこのような構成にすれば、受講者は、自己の保有するパーソナルコンピュータや携帯電話機などから広告情報についての資料請求を行うことができる。
例えば、受講者が、教習所の待合室で教習の開始時間を待っている際、大型液晶ディスプレイなどに提供される広告情報を参照し、気に入った商品等があった場合に、その広告情報に表示されている資料請求コードと、受講者コードを自己の有する携帯電話機に入力し、管理サーバへ送信することができる。これに対して、管理サーバは、資料請求コード、及び受講者コードに対応する受講者情報を広告サーバに送信し、広告提供者側は、広告サーバから携帯電話機に資料データを送信したり、あるいはよりきめの細かな営業を行うことも可能となる。
なお、受講者端末から管理サーバへの資料請求コード及び受講者コードの送信については、例えば、管理サーバにより所定の入力フォーマットを有するホームページを提供して、受講者端末によりアクセスし、これらのコードを入力して管理サーバへの送信を行うこと等により実現することが可能である。
【００２２】
また、本発明の教習所システムは、ユーザ端末が、広告情報に対応する商品について購入希望情報、及び受講者コードを、教習所サーバを経由して、又は教習所サーバを経由することなく、管理サーバに送信し、管理サーバが、受講者コードにもとづいて、教習所サーバから当該受講者コードに対応する受講者情報及び成績情報を受信し、この受講者情報及び成績情報と、購入希望情報を広告サーバに送信する構成としてある。
【００２３】
教習所システムをこのような構成にすれば、受講者が、教習所における広告情報を通じて自動車関連商品等の購入を行う場合、その購入希望情報や受講者情報に加えて、受講者の成績情報を広告サーバに送信することができる。
このため、例えば、教習に真剣に取り組み、優秀な成績を収めた受講者に対して、広告提供者側は、自動車関連商品等の減額を行ったり、あるいは自動者損害保険の保険額の減額等を行うことが可能となる。
これによって、受講者の学習意欲と購買意欲を共に向上させることができ、受講者、教習所、及び広告提供者の全てにメリットの高い教習所システムとすることが可能となる。
【００２４】
また、本発明の教習所システムは、ユーザ端末が入力する資料請求コードが、表示装置に表示された広告情報におけるものである構成としてある。
教習所システムをこのような構成にすれば、受講者は、表示装置を参照して気に入った商品等についての資料請求コードを、ユーザ端末に入力することなどにより、その商品等についての資料を容易に得ることが可能となる。
【００２５】
また、本発明の教習所システムは、所定のスケジュールが、教習の開始又は終了タイミングに合わせて、広告情報の提供を行うものである構成としてある。
教習所システムをこのような構成にすれば、広告情報が教習の待ち時間に合わせて出力されるため、受講者は、教習の待ち時間内に、広告情報を完結したひとまとまりのものとして見ることができる。
このため、受講者に対して、より効果的に広告情報を提供することが可能となる。
【００２６】
また、本発明の教習所システムは、応答情報が、資料請求が行われたことを確認するための情報と、景品を有する構成としてある。
教習所システムをこのような構成にすれば、受講者からの資料請求があった場合に、管理サーバから受講者の使用する受講者端末に、その確認メールのみならず、景品を送信することができる。
このため、受講者による資料請求意欲を増進することが可能となる。
【００２７】
なお、「景品」としては、管理サーバから受講者端末へデータ送信可能なものであれば特に限定されるものではないが、例えば新車写真の待ち受け画面や新着アルバムの着信メロディ等の電子データとすることが好ましい。また、この「景品」を本日のプレゼントとして、日次更新することも好ましい。さらに、この「景品」を今週のプレゼントとして、毎週数種類用意するとともに毎週更新し、受講者に選択可能とすることも好ましい。
【００２８】
また、本発明の教習所システムは、広告サーバが、広告情報を管理サーバに送信する構成としてある。
教習所システムをこのような構成にすれば、教習所サーバに配信するために管理サーバにおいて記憶される広告情報を、通信回線を介して広告サーバから受信することができ、この広告情報に対して資料請求を行った受講者の情報を、当該広告サーバへ送信することが可能となる。
自動車教習所における受講者は、上述のごとく自動車販売者等にとっては極めて重要な顧客層であるといえるため、本発明により、広告提供者側にとっては、管理サーバに広告情報を提供することで、大きな効果を期待することが可能となる。
【００２９】
また、本発明の教習所システムは、教習所サーバが、少なくとも所定の自動車教習所管理ソフトウェア及び所定の学科教習ソフトウェアをインストールされたものである構成としてある。
教習所システムをこのような構成にすれば、教習所サーバに広告情報の提供機能を持たせるのみならず、自動車教習所において使用される種々のソフトウェアを教習所サーバに一元管理させることが可能となる。
【００３０】
また、本発明の教習所広告提供方法は、受講者に対して広告情報を提供する教習所広告提供方法であって、管理サーバが、当該管理サーバにおける配信情報記憶部に記憶された広告情報を教習所サーバに配信し、教習所サーバが、広告情報を受信して、当該教習所サーバにおける広告情報記憶部に記憶し、所定のスケジュールに従って、広告情報記憶部に記憶された広告情報を所定の表示装置に出力し、ユーザ端末が、受講者コード、及び広告情報に含まれる資料請求コードを入力し、受講者コード及び資料請求コードを保有する請求情報を、教習所サーバを経由して、又は教習所サーバを経由することなく、管理サーバに送信し、管理サーバが、請求情報を受信して、請求情報に対する応答情報を、ユーザ端末において受信可能に送信し、かつ、教習所サーバから受信した受講者コードに対応する受講者情報を広告サーバに送信する方法としてある。
【００３１】
教習所広告提供方法をこのような方法にすれば、管理サーバから自動車教習所における教習所サーバに広告情報を配信し、これを教習所において表示装置に出力させることによって、受講者に広告情報を提供することが可能となる。
また、この広告情報の提供にあたり、資料請求コードを表示することによって、受講者が、その広告情報についての資料請求を望む場合に、ユーザ端末からその資料請求コードを入力して請求を行うことによって、容易に資料の請求を行うことが可能となる。
その結果、広告提供者側にとっては、広告の提供による自動車関連商品等の売上向上を期待することができ、教習所側や教習所システムの管理者側にとっても広告収入を得ることが可能となる。
【００３２】
また、本発明の教習所広告提供プログラムは、受講者に対して広告情報を提供するための教習所広告提供プログラムであって、管理サーバに、当該管理サーバにおける配信情報記憶部に記憶された広告情報を教習所サーバへ配信させ、教習所サーバに、受信した広告情報を当該教習所サーバにおける広告情報記憶部に記憶させ、所定のスケジュールに従って、広告情報記憶部に記憶された広告情報を所定の表示装置に出力させ、ユーザ端末に、受講者コード、及び広告情報に含まれる資料請求コードを入力させ、受講者コード及び資料請求コードを保有する請求情報を、教習所サーバを経由して、又は教習所サーバを経由することなく、管理サーバへ送信させ、管理サーバに、受信した請求情報に対する応答情報を、ユーザ端末において受信可能に送信させ、かつ、教習所サーバから受信した受講者コードに対応する受講者情報を広告サーバへ送信させる構成としてある。
【００３３】
教習所広告提供プログラムをこのような構成にすれば、教習所システムにおける各装置に上記所定の処理を行わせることにより、自動車教習所の受講者に広告情報を提供するとともに、容易にその資料請求を行わせることができる。
このため、自動車教習所において、当該広告による各種自動車関連商品等の売上の向上等を期待することが可能となる。
【００３４】
また、本発明の教習所広告提供管理サーバは、受講者に対する広告情報の提供を支援する教習所広告提供管理サーバであって、広告ごとに資料請求コードを備えた広告情報を記憶する配信情報記憶部と、景品を記憶する景品記憶部と、配信情報記憶部に記憶された広告情報を、一又は二以上の教習所サーバに配信する広告配信部と、受講者により使用されるユーザ端末から受講者コード及び資料請求コードを保有する請求情報を、教習所サーバを経由して、又は教習所サーバを経由することなく受信し、資料請求が行われたことを確認するための情報と、景品記憶部に記憶された景品を有する応答情報を、ユーザ端末において受信可能に送信する請求確認部と、教習所サーバから受講者コードに対応する受講者情報を受信し、この受講者情報を広告サーバに送信する受講者情報提供部とを備えた構成としてある。
【００３５】
教習所広告提供管理サーバをこのような構成にすれば、ユーザ端末からの資料請求を広告サーバに送信することができるとともに、ユーザ端末へ確認メールと景品を送信することができる。
このため、受講者による資料請求意欲を増進させることが可能となる。
【発明の効果】
【００３６】
本発明によれば、自動車教習所において、大型液晶ディスプレイなどに、映像情報等による広告情報を表示することができる。また、その出力スケジュールを教習時間に合わせることにより、受講者は、次の教習の待ち時間の間にひとまとまりの広告情報を視聴することが可能となる。
【００３７】
そして、気に入った商品等があった場合には、教習所におけるエントランス端末や、自己の受講者端末などから、資料請求画面を参照して、各広告情報に表示されている資料請求コードと、受講者コードを入力し、これを管理サーバに送信することによって、容易にその広告情報についての資料請求を行うことができる。管理サーバは、受講者情報を広告サーバに送信するため、資料は、広告サーバ側から受講者に提供することができる。
【００３８】
また、資料請求を受けた管理サーバは、その受講者に対して、確認メールとともに、着信メロディなどのプレゼントを送信するため、受講者からの資料請求意欲を増進させることが可能となる。
さらに、受講者が所定の成績を収めた場合に、商品等の販売にあたって、割引価格を提供することも可能となる。
【００３９】
その結果、広告提供者側にとっては、自動車教習所における受講者という販売対象として高い効果を期待することのできるターゲットに対し、効果的な広告を行うことができ、売上の向上を期待することが可能となる。
また、教習所側や教習所システムの管理者にとっては、このような広告提供者側からの広告収入を得ることが可能となる。
【００４０】
さらに、受講者にとっても、免許の取得の後には必ず必要となるような商品等についての情報を自動車教習所において得ることが可能になるとともに、資料請求にあたってプレゼントを入手することも可能となる。また、所定の成績を収めることによって、自動車関連商品等を割引価格で購入することも可能となる。
【発明を実施するための最良の形態】
【００４１】
以下、本発明に係る教習所システムの好ましい実施形態について、図面を参照しつつ説明する。
なお、以下の実施形態に示す本発明の教習所システムは、プログラムに制御されたコンピュータにより動作するようになっている。コンピュータのＣＰＵは、プログラムにもとづいてコンピュータの各構成要素に指令を送り、管理サーバなどの動作に必要となる所定の処理、例えば、広告情報の配信処理や、本日のプレゼントなどの送信処理等を行わせる。このように、本発明の教習所システムにおける各処理，動作は、プログラムとコンピュータとが協働した具体的手段により実現できるものである。
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ，磁気ディスク，光ディスク、その他任意のコンピュータで読取り可能な任意の記録手段により構成できる。
【００４２】
［教習所システム］
まず、本発明の一実施形態の構成について、図１〜３を参照して説明する。図１は、本実施形態の教習所システムの構成を示すブロック図である。図２、図３は、それぞれ同システムにおける教習所サーバ、管理サーバを示すブロック図である。
図１に示すように、本実施形態の教習所システムは、教習所サーバ１０，表示装置２０，管理サーバ３０，広告サーバ４０，エントランス端末５０，教習端末６０，事務端末７０，受講者端末８０，通信回線９０を有している。
【００４３】
［教習所サーバ１０］
教習所サーバ１０は、自動車教習所において使用される情報処理装置であり、例えばワークステーションやサーバ、パーソナルコンピュータ等を用いることができる。図１において、教習所サーバ１０は一台のみ表示されているが、これに限定するものではなく、教習所システムにおいて、教習所サーバ１０を二以上とすることもできる。
教習所サーバ１０は、図２に示すように、映像ＤＢ１０−１，受講者情報ＤＢ１０−２，その他の情報ＤＢ群１０−３，映像出力部１０−４，資料請求処理部１０−５，事務管理部１０−６，教習管理部１０−７を有している。
【００４４】
映像ＤＢ１０−１，受講者情報ＤＢ１０−２，その他の情報ＤＢ群１０−３は、教習所サーバ１０における記憶部であり、例えばハードディスク装置やメモリ装置にデータベースとして構成することができる。
映像出力部１０−４，資料請求処理部１０−５，事務管理部１０−６，教習管理部１０−７は、教習所サーバ１０における処理部であり、ＣＰＵ及びそれぞれの処理を実行するプログラムが展開されたメモリ等により構成することができる。
【００４５】
映像ＤＢ１０−１は、広告情報を記憶する広告情報記憶部である。本実施形態においては、広告情報として特に映像情報を記憶するデータベースを使用しているが、これに限定するものではない。
映像情報としては、自動車関連会社が提供する自動車に関する情報番組や、購買層の若者などを対象にした一般のＣＭなどとすることができる。
【００４６】
例えば、特定車種の安全対策をテーマとする番組、特定車種のデザイン開発をテーマとする番組、特定車種の技術の先進性をテーマとする番組などの自動車教習所向けに制作された自動車メーカ提供の番組とすることができる。そして、番組の合間には、ＴＶと同じように、車、自動車保険、化粧品、ファッション、音楽など２０歳前後の若者が興味を示す既成のＴＶ−ＣＭ枠を設けることができる。
また、この番組やＣＭの商品等に関する資料の請求を、エントランス端末５０や受講者端末８０から行うことを可能とするために、これらの商品等を特定するための資料請求コードを、全ての番組及びＣＭに表示する。そして、資料請求を促すテロップを常時流すことが好ましい。
【００４７】
受講者情報ＤＢ１０−２は、自動車教習所における受講者の情報を記憶する受講者情報記憶部である。この受講者情報としては、例えば、受講者コード，氏名，住所，年齢（生年月日・星座），性別，職業，電話番号，電子メールアドレス等とすることができる。また、受講者情報ＤＢ１０−２には、このような受講者情報の他、受講者コードごとに成績情報やクレジットカード情報等を保有させることもできる。
その他の情報ＤＢ群１０−３は、教習所において使用されるその他の各種記憶部の集合を示すものであり、例えば、教員の情報や各種事務的な情報を記憶する事務情報データベース、教習の時間割や予約等の教習に関する情報を記憶する教習情報データベース等とすることができる。
【００４８】
映像出力部１０−４は、管理サーバ３０から配信された映像情報を映像ＤＢ１０−１に記憶させるとともに、映像ＤＢ１０−１に記憶された映像情報を所定のスケジュールに従って、表示装置２０に出力する。
このスケジュールとしては、例えば上述のような番組及びＣＭにより３時間分の映像を制作し、これらを１日４クール繰り返し出力するものとすることができる（１２時間放映／１日）。
【００４９】
また、教習の時間割に合わせて広告情報を出力することにより、受講者に対する広告効果を向上させることも好ましい。
すなわち、広告情報を、教習の待ち時間に合わせて出力することによって、受講者に対して、教習の待ち時間内に、広告情報を完結したひとまとまりのものとして見せることができる。このため、受講者に対する広告情報の訴求力を向上させることが可能となる。
例えば、教習時間が５０分間、休み時間が１０分間である場合に、教習時間に合わせた５０分番組構成とすることや、休み時間中に視聴可能な、例えば５分番組構成とすることなども好ましい。また、ＣＭについては、例えば３０秒単位の時間枠を設定するようにすることができる。
【００５０】
資料請求処理部１０−５は、エントランス端末５０から受信した資料請求コード及び受講者コードにもとづいて、当該受講者に対する資料提供を実現するための処理を実行する。
例えば、エントランス端末５０からの要求にもとづいて、資料請求処理部１０−５は、資料請求コードを入力するための資料請求画面をエントランス端末５０に送信する。より具体的には、エントランス端末５０のトップ画面に「資料請求」アイコンを常時表示させておき、これをクリック（タッチパネルとした場合にはタッチ）することにより、エントランス端末５０からの資料請求画面要求を教習所サーバ１０に送信し、これに対して教習所サーバ１０から資料請求画面をエントランス端末５０に送信するようにすることできる。
そして、この資料請求画面において、広告情報とこれに対応する資料請求コードの一覧を選択可能に表示し、受講者からの資料請求コードの選択入力を受けて、選択された資料請求コードと、受講者カードから読み込まれた受講者コードとを管理サーバ３０に送信するようにすることができる。
【００５１】
なお、エントランス端末５０から資料請求を行った場合、管理サーバ３０からの確認メールと本日のプレゼントは、受講者が使用する受講者端末８０に送信することが望ましいため、上記資料請求画面に受け取り先の電子メールアドレス入力欄を設けて、その入力が行われない場合には、資料請求ができないようにすることも好ましい。
【００５２】
また、受講者情報ＤＢ１０−２に受け取り先の電子メールアドレス情報が登録されている場合には、受講者カードから受講者コードが読み取られた際に、自動的にそのアドレス情報を上記アドレス入力欄に表示しておき、変更入力可能とすることも好ましい。
もちろん、受講者情報ＤＢ１０−２に受け取り先のアドレス情報が登録されている場合に、アドレス入力欄を資料請求画面に表示することなく、自動的に登録されているアドレスに確認メール等を送信することも可能である。
【００５３】
事務管理部１０−６は、一般的な事務情報の登録処理、管理処理等を実行する処理部であり、そのほとんどの機能を従来公知の自動車教習所管理ソフトウェアを用いて実現することができる。
その主要機能としては、受講者カードエントリー機能、自動車教習所管理機能、インターネット予約機能等を挙げることができる。
【００５４】
受講者カードエントリー機能とは、バーコードや二次元コード、ＩＣチップ等を読み取ることで、受講者認証、入退出管理、個人進捗データの呼び出し、予約確認、新規予約等を行うものであり、上述のエントランス端末５０により受講者カードから読み込まれた受講者コードにもとづきこれらの各種処理を実行する。
自動車教習所管理機能とは、入校処理、入金管理、適性、教習原簿、講習進捗状況管理、各種帳票出力、各種証明書出力、成績管理、経理、受講者管理、教員管理等を行うものである。
【００５５】
インターネット予約機能とは、教習所外からも受講者端末８０を用いることによって、予約を可能とするものである。
例えば、教習所サーバ１０が提供するホームページに受講者端末８０がアクセスし、受講者端末８０から受講者コード及びパスワードが通信回線９０を介して教習所サーバ１０に送信されると、事務管理部１０−６は、受講者コード及びパスワードにもとづいて、認証を実行する。そして、事務管理部１０−６は、予約画面を受講者端末８０に送信し、受講者端末８０から受信した予約情報にもとづいて、予約登録を実行する。なお、認証方法については、従来公知の方法を用いることができ、以降パスワードの送信についての記載は省略する。
【００５６】
ここで、本実施形態においては、受講者からの予約が行われた場合に、受講者宛に、予約確認メールと本日のプレゼントを送信可能としている。
具体的には、事務管理部１０−６がエントランス端末５０からの予約を受け付けて登録を行うと、予約を行ったことを示す予約受付情報と当該受講者の電子メールアドレスを管理サーバ３０に送信する。この電子メールアドレスは、予約時にエントランス端末５０に入力されたものを用いることができる。また、受講者情報ＤＢ１０−２にその受講者の電子メールアドレスが記憶されている場合には、これを用いることもできる。そして、管理サーバ３０により、この受講者の電子メールアドレス宛に予約確認情報と、本日のプレゼントを送信することができる。
【００５７】
教習管理部１０−７は、学科教習を実施する処理部であり、ＶＯＤ（Ｖｉｄｅｏ  Ｏｎ  Ｄｅｍａｎｄ：株式会社学習研究社）などの既存の教習ソフトウェアを用いて実現することができる。
また、この教習ソフトウェアは、インターネットを介して管理サーバ３０から教習所サーバ１０に供給し、インストールすることができる。
このように、本実施形態では、これまで学科教習にＯＨＰやＬＤが使用されていた場合にはこれをデジタル化し、パーソナルコンピュータ上で実施可能なものとした教習所システムとしている。
【００５８】
［表示装置２０］
表示装置２０は、有線又は無線により教習所サーバ１０に接続され、待合室やホール等において使用される一又は二以上のディスプレイであり、例えばＬＣＤ（Ｌｉｑｕｉｄ  Ｃｒｙｓｔａｌ  Ｄｉｓｐｌａｙ）を有する大型の液晶テレビなどとすることが好ましい。
この表示装置２０には、上述のように教習所サーバ１０から出力される広告情報が表示され、各広告情報には、その広告情報についての資料請求のために使用する資料請求コードが表示される。
【００５９】
なお、表示装置２０の傍らに、広告情報として提供された商品等の購入をサポートするためのカード（以下、ショップカードと称する。）を設置することが好ましい。
このショップカードは、広告の商品を取り扱う地域ディーラーやショップ等を紹介するものである。ショップカードは、表示装置２０により紹介する広告情報が、全国規模の内容のものが主流になると考えられることから、番組で紹介する商品等を実際の購入に結びつけるため、中央の販売情報、地域のディーラー等、及び顧客をリンクさせることを目的とするものである。
例えば、○○自動車のＣＭを見て、△△車に興味を持った受講者は、その商品を取り扱う地元ディーラーの案内として、ショップカードを自由に持ち帰ることができる。このショップカードとしては、例えば名刺大程度の印刷物とすることが好ましい。
【００６０】
また、このショップカードに資料請求のためのＵＲＬを記載して、受講者端末８０からのアクセスを促すことも好ましい。このＵＲＬとしては、後述の管理サーバ３０が提供する資料請求のためのホームページのＵＲＬとすることができる。さらに、このショップカードに種々の特典を付けることで、受講者のディーラー等への来店機会を高めることも好ましい。
これによって、教習所や教習所システムの管理者は、地域ディーラーやショップから、ショップカード設置代金を見込むことが可能となる。
【００６１】
［管理サーバ３０］
管理サーバ３０は、教習所サーバ１０への広告情報の配信や資料請求等を管理する情報処理装置であり、教習所システムを管理する管理者により使用されるものである。この管理サーバ３０により、教習所サーバ１０をリモートコントロールにて管理する。この管理サーバ３０としては、例えばワークステーションやサーバ、パーソナルコンピュータなどを用いることができる。
この管理サーバ３０は、図３に示すように、配信ＤＢ３０−１，景品ＤＢ３０−２，広告メールＤＢ３０−３，映像配信部３０−４，請求確認部３０−５，受講者情報提供部３０−６，成績確認部３０−７，広告メール配信部３０−８を有している。
【００６２】
配信ＤＢ３０−１，景品ＤＢ３０−２，広告メールＤＢ３０−３は、管理サーバ３０における記憶部であり、例えばハードディスク装置やメモリ装置にデータベースとして構成することができる。
映像配信部３０−４，請求確認部３０−５，受講者情報提供部３０−６，成績確認部３０−７，広告メール配信部３０−８は、管理サーバ３０における処理部であり、ＣＰＵ及びそれぞれの処理を実行するプログラムが展開されたメモリにより構成することができる。
【００６３】
配信ＤＢ３０−１は、広告ごとに資料請求コードを備えた広告情報を記憶する配信情報記憶部であり、教習所サーバ１０に配信する広告情報を記憶する。この配信ＤＢ３０−１における広告情報は、上述した教習所サーバ１０の映像ＤＢ１０−１におけるものと同様のものとすることができる。
景品ＤＢ３０−２は、景品を記憶する景品記憶部であり、広告情報に関する資料請求を行った受講者、あるいは予約を行った受講者に提供するための景品を記憶する。
【００６４】
この景品としては、管理サーバから受講者端末へデータ送信可能なものであれば、特に限定されるものではないが、携帯電話機などの待ち受け画像や、着信メロディなどの電子データとすることが好ましい。
待ち受け画像としては、例えば新車のイメージフォトや、様々なスポーツシーンフォトなどとすることが好ましい。また、着信メロディとしては、例えば新着アルバムの着信メロディや着メロ効果音等とすることが好ましい。
さらに、この「景品」を本日のプレゼントとして、日次更新することなども好ましい。
【００６５】
広告メールＤＢ３０−３は、管理サーバ３０によって、広告提供者側の広告メールを受講者端末８０に送信するために、その広告メールを、例えば資料請求コードごとに記憶するものである。
この広告メールは、広告情報として提供された商品についての宣伝文による各種広告情報とすることができるほか、待ち受け画面や着信メロディとすることも好ましい。
【００６６】
映像配信部３０−４は、配信ＤＢ３０−１に記憶された広告情報を教習所サーバに配信する広告配信部であり、広告情報としての映像を一又は二以上の教習所サーバ１０に配信する。この映像の配信タイミングについては、特に限定されるものではないが、例えば１月ごとに行うようにすることができる。また、より短期又は長期のサイクルで配信したり、あるいは随時配信を行うようにすることも可能である。
また、映像配信部３０−４は、広告サーバ４０から通信回線９０を介して受信した広告情報を、配信ＤＢ３０−１に記憶させる。もちろん、ハードディスクやメモリ、ＤＶＤ、ＣＤ−ＲＯＭ、ＭＯ、テープ等の記憶媒体を介して管理サーバ３０に入力された広告情報を、配信ＤＢ３０−１に記憶させることができることは言うまでもない。
【００６７】
請求確認部３０−５は、受講者端末８０から受講者コード及び資料請求コードを受信すると、この受講者端末８０又は受講者の電子メールアドレスに、確認メールと、景品を送信する。
その方法としては、例えば図示しないが管理サーバ３０に資料請求のためのホームページを保有させ、受講者端末８０が、このホームページの資料請求画面にアクセスして受講者コード及び資料請求コードを入力し、管理サーバ３０に送信する方法とすることができる。そして、管理サーバ３０が、この受講者端末８０に対し、ホームページを介して確認情報を送信するとともに、景品を送信するようにすることができる。
また、ホームページに受講者の電子メールアドレス入力欄を設け、電子メールアドレスの入力が行われた場合には、その電子メールアドレス宛に、確認メールと景品を送信するようにすることも可能である。
【００６８】
さらに、受講者は、受講者端末８０のみならず、エントランス端末５０から資料請求を行うことも可能である。
管理サーバ３０が、エントランス端末５０から教習所サーバ１０を経由して受講者コード、資料請求コード、及び受講者の電子メールアドレスを受信すると、請求確認部３０−５は、受講者の電子メールアドレス宛に、確認メールと景品を送信する。
そして、広告サーバ４０に送信するために、当該受講者の受講者情報を、受講者コードにもとづいて教習所サーバ１０から取得する。あるいは、教習所サーバ１０に登録されている受講者情報を予め管理サーバ３０に受信させ、受講者情報ＤＢなどとして記憶させておくことにより、請求確認部３０−５は、この受講者情報ＤＢから受講者コードに対応する受講者情報を取得することもできる。
【００６９】
また、受講者情報に電子メールアドレスを保有させることにより、エントランス端末５０から電子メールアドレスを入力する必要なく資料請求を行えるようにすることも可能である。この場合、エントランス端末５０から教習所サーバ１０を経由して受講者コード及び資料請求コードが管理サーバ３０に送信されてくると、請求確認部３０−５は、取得した受講者情報を、この受講者情報における電子メールアドレス宛に、確認メールと景品を送信することが可能である。
【００７０】
受講者情報提供部３０−６は、取得した受講者情報を、その資料請求コードに対応する広告提供者側の広告サーバ４０に送信する。
このため、図示しないが管理サーバ３０において、資料請求コードと広告サーバ４０との対応関係を有するテーブルなどを保有させておくことが好ましい。
この受講者情報の広告サーバ４０への送信は、資料請求時にリアルタイムで行う他、日次等のタイミングで行うことも可能である。
【００７１】
成績確認部３０−７は、広告情報として提供された商品等についての購入希望者の成績情報を広告提供者側の広告サーバ４０に送信するものである。
この成績確認部３０−７は、受講者端末８０から購入希望情報を受信すると、この購入希望情報に含まれる受講者コードにもとづいて、受講者コードに対応する成績情報を教習所サーバ１０から受信する。そして、この購入希望情報と成績情報を広告サーバ４０に送信する。
この購入希望情報としては、例えば受講者コード、商品名（商品コード）、商品の数量等とすることができる。成績情報としては、例えば出席状況、学科・実技の成績等とすることができる。また、所定の基準で換算して、その結果を成績情報とすることもでき、例えばＡランク，Ｂランク，Ｃランクといった情報等とすることもできる。
【００７２】
また、その商品としては、例えば自動車損害保険などとすることができる。この場合、成績優秀者は、自動車損害保険の契約において、割安の優遇措置を受けることが可能となる。また、自動車や自動車関連商品などその他の商品について、成績優秀者に対し割引価格を適用するようにすることも可能である。
もちろん、どのような成績に対して、どのような割引価格やサービス等を提供するかということについては、広告提供者側において、自由に定めることが可能である。
【００７３】
さらに、教習所サーバ１０に商品購入画面を設けた場合には、エントランス端末５０から商品の購入を行うことができ、その購入に対して成績にもとづく割引を適用することも可能である。
この場合、請求確認部３０−５は、エントランス端末５０から教習所サーバ１０を介して購入希望情報を受信することよって、受講者端末８０からの場合と同様に、この購入希望情報と成績情報を広告サーバ４０に送信することが可能である。
【００７４】
広告メール配信部３０−８は、広告メールＤＢ３０−３に記憶された広告メールを、受講者端末８０や受講者の電子メールアドレス宛に送信する。
例えば、資料請求コードに対する資料データを広告サーバ４０から受講者端末８０や受講者の電子メールアドレスに送信するのではなく、これを管理サーバ３０が代行して、広告メール配信部３０−８により送信するようにすることが可能である。その他、上述のように、携帯電話機の待ち受け画像や、着信メロディを広告メールとして送信するようにすることも可能である。
【００７５】
［広告サーバ４０］
広告サーバ４０は、広告提供者側により使用される情報処理装置であり、例えばワークステーションやサーバ、パーソナルコンピュータ等を用いることができる。図１では広告サーバ４０を一台のみ示しているが、本実施形態の教習所システムにおいて、複数の広告提供者側による複数の広告サーバ４０を用いることも勿論可能である。また、広告提供者側としては、自動車関連商品やその他の若者向け商品等の販売者の他、自動車損害保険提供者などとすることもできる。
【００７６】
広告サーバ４０は、管理サーバ３０から、受講者情報を受信すると、その受講者情報に対応する受講者の電子メールアドレス宛に資料データを送信する。これによって、受講者は、受講者端末８０によりその資料データを受信することができる。このとき、管理サーバ３０から受講者情報とともに、請求する資料を特定するための情報を併せて広告サーバ４０に送信することが好ましい。この請求する広告を特定するための情報として、資料請求コードを使用することも好ましい。これによって、広告サーバ４０は、資料請求コードごとに別個の資料データを提供することが可能となる。
【００７７】
この資料データとしては、例えば資料請求者の住所の近くにあるディーラーの紹介や、各ディーラーのプレゼント企画情報などとすることができる。
また、広告サーバ４０により、受講者の電子メールアドレス宛に資料データを送信すると同時に、紹介したディーラーの電子メールアドレス宛に、当該受講者の受講者情報を送信して、そのディーラーを受講者に紹介したことを知らせることも好ましい。
【００７８】
また、管理サーバ３０によりインターネット上に提供されるホームページを介して、受講者端末８０から資料請求が行われる場合、管理サーバ３０から広告サーバ４０に、受講者情報等に加えて受講者端末８０のＩＰアドレスを送信することによって、広告サーバ４０から受講者端末８０に資料データを送信するようにすることもできる。
【００７９】
さらに、受講者端末８０に資料データを送信することなく、広告提供者側から受講者宛に資料を郵送したり、あるいは電話等により請求された商品等についての情報を提供することも勿論可能である。この際、資料請求者特典（来店プレゼントや割引制度）を設けることで、来店率及び成約率を高めることも好ましい。
さらに、管理サーバ３０の配信ＤＢ３０−１における映像などの広告情報の元情報を、広告サーバ４０に保有させ、管理サーバ３０に送信するようにすることも好ましい。
【００８０】
［エントランス端末５０］
エントランス端末５０は、自動車教習所において受講者により使用される情報処理装置であり、教習所サーバ１０と社内ＬＡＮなどのネットワークによって接続されている。このエントランス端末５０としては、例えばパーソナルコンピュータ等を用いることができる。
このエントランス端末５０は、教習所サーバ１０における自動車教習所管理ソフトウェアにより実行される各種処理、例えば入退出管理、予約確認、新規予約、インターネット予約等を行うための操作端末として使用されるものである。
【００８１】
エントランス端末５０は、図１に示すようにカードリーダ５０ａを接続している。このカードリーダ５０ａは、受講者カードの読み取りを行うものである。
カードリーダ５０ａとしては、例えばバーコードリーダや二次元コードリーダ、あるいはＩＣチップリーダ等とすることができる。
【００８２】
受講者カードとは、自動車教習所において使用される個人識別のための会員カードであり、バーコードや二次元コード、あるいはＩＣチップなどによる受講者コードを保有する。この受講者コードは、カードリーダ５０ａにより読み取られ、エントランス端末５０に読み込まれる。
そして、エントランス端末５０は、読み込んだ受講者コードを教習所サーバ１０に送信し、教習所サーバ１０において、受講者の認証が実行される。これによって、受講者に対して教習所における各種システムへのアクセスを許可することが可能となる。
【００８３】
なお、この受講者カードとしては、クレジットカード機能を保有させたものとすることが好ましく、未成年者には学生カードとしての機能を別に持たせることが好ましい。さらに、受講者カードに、ロードサービス機能を付加するとともに、協賛各社の割引サービスなど、各種特典機能を持たせることが好ましい。
【００８４】
また、受講者は、このエントランス端末５０から商品等についての資料請求を行うことが可能である。さらに、教習所サーバ１０又は管理サーバ３０に商品購入機能を保有させることにより、エントランス端末５０から商品等の購入を行うことも可能である。
【００８５】
［教習端末６０］
教習端末６０は、教習所において、教習のために使用される情報処理装置であり、教習所サーバ１０と社内ＬＡＮなどのネットワークによって接続されている。この教習端末６０としては、例えばパーソナルコンピュータ等を用いることができる。
この教習端末６０は、教習所サーバ１０における自動車教習所管理ソフトウェアにより実行される各種処理、例えば個人進捗データの呼び出し、予約確認、入金管理、適性、教習原簿、講習進捗情報管理、成績管理等を行うための操作端末として使用されるものである。
【００８６】
また、教習所における教官は、この教習端末６０を使用することによって、教習所サーバ１０にインストールされている学科教習ソフトウェアを実行し、学科教習を教授することができる。この学科教習ソフトウェアとしては、例えば株式会社学習研究社のＶＯＤなどを使用することができる。そして、道路交通法の改正があった場合には、管理サーバ３０からその改正法に対応する新たな学科教習ソフトウェアを、通信回線９０を介して教習所サーバ１０に送信することにより更新する。
さらに、図示しないが教習端末６０又は教習所サーバ１０にプロジェクタを接続し、教習内容を複数の受講者が視聴できるように、プロジェクタへ出力可能とすることが好ましい。
【００８７】
また、図１に示すように、教習端末６０には、カードリーダ６０ａが接続されている。このカードリーダ６０ａによって、受講者カードから受講者の受講者コードが読み取られ、教習端末６０に読み込まれる。そして、この受講者コードが教習端末６０により教習所サーバ１０に送信され、教習所サーバ１０における自動車教習所管理ソフトウェアによって、講習進捗情報管理が行われる。
【００８８】
［事務端末７０］
事務端末７０は、教習所における事務管理のために使用される情報処理装置であり、教習所サーバ１０と社内ＬＡＮなどのネットワークによって接続されている。この事務端末７０としては、例えばパーソナルコンピュータ等を用いることができる。
この事務端末７０は、教習所サーバ１０における自動車教習所管理ソフトウェアにより実行される各種処理、例えば個人進捗データの呼び出し、予約確認、入校処理、入金管理、適性、教習原簿、講習進捗情報管理、各種帳票出力、各種証明書出力、成績管理等を行うための操作端末として使用されるものである。
【００８９】
［受講者端末８０］
受講者端末８０は、受講者が個人的に使用する情報処理装置などを示すものであり、例えば受講者の携帯電話機や、あるいは受講者が自宅や会社などにおいて使用するパーソナルコンピュータなどとすることができる。
この受講者端末８０は、教習所サーバ１０における自動車教習所管理ソフトウェアにより実行される各種処理、例えば予約確認、新規予約、インターネット予約等を行うための操作端末として使用されるものである。
【００９０】
受講者端末８０は、受講者がエントランス端末５０から資料請求を行った場合、その資料請求についての確認メール及び本日のプレゼントを受信する。その受信方法としては、上述したように、受講者端末８０のＩＰアドレスにもとづき直接受信するようにするのみならず、受講者の電子メールアドレス宛に送信された確認メール及び本日のプレゼントを受信するようにすることもできる。
さらに、受講者端末８０は、受講者が資料請求を行った広告情報について、広告サーバ４０から資料データを受信する。この資料データの受信についても、確認メール及び本日のプレゼントの場合と同様の受信方法により受信することが可能である。
【００９１】
また、受講者は、この受講者端末８０から資料請求を行うことができる。
その方法としては、上述のごとく、例えば受講者端末８０が、管理サーバ３０により提供されるホームページの資料請求画面にアクセスし、このホームページを介して受講者コード及び資料請求コードを管理サーバ３０に送信することにより、資料請求を行うようにすることができる。この場合、管理サーバ３０は、受講者端末８０に確認メール及び本日のプレゼントを送信することができる。もちろん、受講者宛に電子メールによりこれらを送信することもできる。
そして、受講者端末８０は、広告サーバ４０からの資料データを受信する。
【００９２】
さらに、受講者は、受講者端末８０から広告情報として提供された商品等についての購入を行うこともできる。この商品等としては、自動車関連商品、若者向け商品などのほか、自動車損害保険等とすることができる。
また、その購入の方法としては、例えば受講者端末８０が、管理サーバ３０により提供されるホームページの購入画面にアクセスして、このホームページを介して購入希望情報を管理サーバ３０に送信することにより、購入を行うようにすることができる。
この購入希望情報としては、例えば購入を希望する商品等の識別番号やその個数、及び受講者コードなどとすることができる。この場合、管理サーバ３０は、教習所サーバ１０から当該受講者コードに対応する成績情報を取得し、購入希望情報とともに、この成績情報も併せて広告サーバ４０に送信する。
【００９３】
これによって、広告提供者側は、成績が所定レベル以上である場合に、その商品等の割引サービスを提供することによって、受講者の購買意欲を向上させることができる。また、教習所にとっては、受講者の学習意欲を向上させることができる。そして、受講者にとっては、好成績を収めることによって自動車関連商品等を割安で購入することができることから、教習に対するモチベーションを向上させることができるとともに、成績優秀者などに対する損害保険の掛け金の割安サービスなどを受けることも可能となる。
【００９４】
通信回線９０は、従来公知の任意好適な公衆回線、商業回線又は専用回線を用いることができる。また教習所サーバ１０、管理サーバ３０、広告サーバ４０、及び受講者端末８０のそれぞれの間においては、同一又は別個の通信回線で構成することができる。
さらに、通信回線９０は、教習所サーバ１０、管理サーバ３０、広告サーバ４０、及び受講者端末８０のそれぞれの間を、無線あるいは有線で接続可能な回線であり、例えば、公衆回線網、専用回線網、インターネット回線網及びイントラネット網により構成することができる。
【００９５】
次に、本実施形態の教習所システムにおける処理手順について、図４〜図７を参照して説明する。図４は、同システムにおけるエントランス端末からの資料請求処理手順を示す動作手順図である。図５は、本実施形態の教習所システムにおける受講者端末からの資料請求処理手順を示す動作手順図である。図６は、同システムにおける購入申込処理手順を示す動作手順図である。図７は、同システムにおける各種事務及び教習処理手順を示す動作手順図である。
【００９６】
まず、図４を参照して、エントランス端末５０からの資料請求処理について説明する。
最初に広告情報としての映像データが、広告サーバ４０から管理サーバ３０に送信される（ステップ１０）。これについては、上述したようにハードディスクなどの外部記憶装置やメモリ、ＤＶＤ、ＣＤ−ＲＯＭ、ＭＯ、テープ等を用いて、映像データを、広告提供者側から管理者側に提供することにより、管理者側で、管理サーバにおける配信ＤＢ３０−１に記憶することも勿論可能である。
【００９７】
次に、管理サーバ３０は、配信ＤＢ３０−１に記憶した映像データを、教習所サーバ１０に配信する（ステップ１１）。この映像データの配信タイミングとしては、特に限定されるものではないが、例えば１月に１回などとすることができる。
教習所サーバ１０は、配信を受けた映像データを映像ＤＢ１０−１に記憶する。そして、この映像ＤＢ１０−１に記憶された映像データを、所定のスケジュールに従って、表示装置２０に出力し、表示装置２０にその映像を表示させる（ステップ１２）。この所定のスケジュールとしては、上述のように、教習の時間割に合わせたものとすることが好ましい。この表示装置２０に表示された映像には、その広告情報ごとに資料請求コードが表示される。
【００９８】
次に、受講者は、教習の待ち時間などに、表示装置２０に出力される広告情報としての映像を視聴し、気に入った商品等があれば、エントランス端末５０からその商品等についての資料請求を行うことができる。
このとき、受講者が、エントランス端末５０に接続されたカードリーダ５０ａに受講者カードを挿入等すると、カードリーダ５０ａは受講者カードから受講者コードを読み取り、エントランス端末５０は、この受講者コードを入力する（ステップ１３）。
【００９９】
そして、受講者の要求により、教習所サーバ１０から図示しない資料請求画面を受信して表示する。このとき、例えばエントランス端末５０上に資料請求のためのアイコンを常時表示しておき、このアイコンをクリック等することにより、エントランス端末５０から教習所サーバ１０に資料請求画面要求を送信し、これに応答して教習所サーバ１０からエントランス端末５０に資料請求画面を送信して表示するようにすることができる。
【０１００】
この資料請求画面には、少なくとも資料請求コードの入力欄と、受講者の電子メールアドレスの入力欄を設けることが好ましい。
また、資料請求コードの入力欄については、コードの直接入力を可能とすることもできるが、全ての資料請求コードのリストを表示して、選択入力可能とすることがより好ましい。
【０１０１】
さらに、受講者の電子メールアドレスは、受講者に対して資料請求の確認メール及び本日のプレゼントを送信するために必須である。このため、資料請求コード及び電子メールアドレスの入力が行われなければ、資料請求を行えないようにすることも好ましい。
また、教習所サーバ１０に受講者情報として予め受講者の電子メールアドレスを登録しておくことにより、資料請求時に電子メールアドレスの登録を省略するようにすることも好ましい。この場合は、資料請求コードの入力があれば、資料請求を可能とし、電子メールアドレスへの入力があった場合には、この入力された電子メールアドレスに確認メール及び本日のプレゼントを送信することが好ましい。
【０１０２】
以上のようにして、資料請求画面に資料請求コード等（資料請求コード、又は資料請求コード及び電子メールアドレス）が入力されると、エントランス端末５０は、この資料請求コード等と受講者コードを有する資料請求情報を、教習所サーバ１０に送信する（ステップ１４）。
【０１０３】
教習所サーバ１０は、受信した資料請求情報における受講者コードにもとづいて、受講者情報ＤＢ１０−２から受講者コードに対応する受講者の氏名、住所、連絡先等の情報を有する受講者情報を取得し、資料請求情報とともに、この受講者情報を管理サーバ３０に送信する（ステップ１５）。
また、図示しないが、管理サーバ３０において、予め教習所サーバ１０から受講者情報を受信して記憶させておくことにより、受講者コードに対応する受講者情報を、この管理サーバ３０に記憶された受講者情報から取得するようにすることも好ましい。
【０１０４】
例えば、教習所サーバ１０に対して受講者情報の登録が行われる際に、この受講者情報を教習所サーバ１０から管理サーバ３０に送信し、管理サーバ３０においてデータベースなどによる受講者情報記憶部に記憶させ、その受講者情報を利用可能とすることも好ましい。この管理サーバ３０に記憶させる受講者情報としては、教習所サーバ１０におけるものと同様とする他、受講者コード，氏名，住所，年齢（生年月日・星座），性別，職業，電話番号，電子メールアドレス等の特定の情報に制限することも勿論可能である。
この場合、教習所サーバ１０は、エントランス端末５０から受信した資料請求情報を管理サーバ３０に送信し、管理サーバ３０は、この資料請求情報における受講者コードにもとづいて、管理サーバ３０における受講者情報記憶部から対応する受講者情報を取得することができる。
【０１０５】
次に、管理サーバ３０は、受講者端末８０において受信可能とすべく、受講者情報に保有された電子メールアドレス又はエントランス端末５０から入力された電子メールアドレスに対して、確認メール及び本日のプレゼントを、通信回線９０を介して送信する（ステップ１６）。
そして、管理サーバ３０は、受信した資料請求情報の資料請求コードに対応する広告サーバ４０に、受講者情報を通信回線９０を介して送信する（ステップ１７）。このとき、資料請求コードやこの資料請求コードに対応する商品名等を併せて広告サーバ４０に送信するようにすることもできる。この場合、管理サーバ３０に、図示しないが資料請求コードと広告サーバ４０のアドレスとの対応関係を有するテーブルなどを保有させることが好ましく、また資料請求コードと商品等との対応関係を有するテーブルなどを保有させることも好ましい。
なお、このとき資料請求情報に受講者の電子メールアドレスが含まれている場合は、これも併せて送信することが好ましい。
【０１０６】
また、受講者情報等をその他の各種媒体により、管理者側から広告提供者側に提供することもできる。
これに対して、広告サーバ４０は、受講者端末８０において受信可能とすべく、受講者の電子メールアドレス宛に資料データを送信する（ステップ１８）。このとき、広告提供者側から受講者に対して、郵便などの方法により資料を送付可能であることは、言うまでもない。
【０１０７】
次に、図５を参照して、受講者端末８０からの資料請求処理について説明する。
最初に広告情報としての映像データが広告サーバ４０から管理サーバ３０に送信される動作から、表示装置２０に映像が出力されるまでの動作（ステップ３０〜ステップ３２）は、図４に示すエントランス端末５０からの資料請求処理における動作（ステップ１０〜ステップ１２）と同様である。
【０１０８】
次に、受講者は、教習の待ち時間などに、表示装置２０に出力される広告情報としての映像を視聴し、気に入った商品等があれば、受講者端末８０からその商品等についての資料請求を行うことができる。
このとき、受講者端末８０は、管理サーバ３０が提供するホームページの資料請求画面に通信回線９０を介してアクセスし、受講者コード、及び資料請求を希望する商品等についての資料請求コードを入力する。
【０１０９】
この資料請求コードの入力については、エントランス端末５０からの場合と同様に、資料請求画面において、資料請求コードの一覧を表示し、その選択入力を可能とすることが好ましい。
また、確認メール及び本日のプレゼントを受講者が電子メールアドレスへの送付を望む場合のために、資料請求画面に電子メールアドレス入力欄を設け、その入力を可能とすることも好ましい。
【０１１０】
なお、受講者端末８０がパーソナルコンピュータ等である場合、管理サーバ３０は受講者端末８０に対して通常のホームページによる資料請求画面を提供し、受講者端末８０が携帯電話機等である場合、管理サーバ３０は受講者端末８０に対して携帯電話機用のホームページによる資料請求画面を提供する。
そして、受講者コード及び資料請求コード等を保有する資料請求情報を管理サーバ３０に送信する（ステップ３３）。
【０１１１】
管理サーバ３０は、資料請求情報を送信した受講者端末８０に対して、確認メール及び本日のプレゼントを、通信回線９０を介して送信する（ステップ３４）。このとき、受講者の電子メールアドレス宛に送信することも可能である。
また、管理サーバ３０は、資料請求情報における受講者コードにもとづいて、この受講者コードに対応する受講者情報を教習所サーバ１０から取得する（ステップ３５）。
なお、管理サーバ３０に予め教習所サーバ１０から受講者情報を受信して記憶させておくことにより、上述のステップ１５における場合と同様に、受講者コードに対応する受講者情報を管理サーバ３０において取得可能とすることも好ましい。
【０１１２】
そして、この取得した受講者情報を広告サーバ４０に送信し、広告サーバ４０から受講者端末８０に資料データを送信すること（ステップ３６，３７）については、図４に示すエントランス端末５０からの資料請求処理における場合（ステップ１７，１８）と同様である。
また、管理サーバ３０は、広告提供者側に代って、あるいは独自に、受講者端末８０に対して各種広告メールを送信することも可能である（ステップ３８）。さらに、図示しないが、教習所サーバ１０が、受講者端末８０に対して各種広告メールを送信することも勿論可能である。また、このような広告メールの配信については、エントランス端末５０からの資料請求処理においても実施可能であることは言うまでもない。
【０１１３】
次に、図６を参照して、購入申込処理手順について説明する。
まず、受講者端末８０が、広告情報として提供されている商品等についての購入希望情報と受講者コードを管理サーバ３０に送信する（ステップ５０）。この購入希望情報には、少なくとも購入を希望する商品等を特定するための情報を保有させる。資料請求コードを、一の商品等ごとに割り当てる場合には、この資料請求コードを、商品等を特定するための情報として使用することもできる。勿論、商品等ごとに所定の商品名や商品コードを定め、これらにより商品等の特定を行うことも好ましい。
【０１１４】
次に、管理サーバ３０は、受講者コードにもとづいて、この受講者コードに対応する受講者の受講者情報と成績情報を取得する（ステップ５１）。なお、受講者情報の取得については、図５におけるステップ３５と同様のものとすることができる。
そして、購入希望情報と、取得した受講者情報及び成績情報とを、その購入希望情報において特定された商品等を提供する広告提供者側の広告サーバ４０へ送信する（ステップ５２）。このように、購入希望情報において特定された商品等を提供する広告提供者側の広告サーバ４０を特定するため、管理サーバ３０に、商品等を特定するための情報と広告サーバ４０との対応関係を有するテーブルなどを保有させることも好ましい。
【０１１５】
これに対して、広告提供者側は、その商品等の販売にあたり、成績情報を考慮して、所定の成績以上である場合に、割引価格を適用するようにすることができる。例えば、自動車や自動車関連商品の販売価格の割引を行ったり、あるいは損害保険の掛け金を減額したりすることが可能である。
そして、割引価格が適用される場合には割引価格で、適用されない場合には通常の価格で、その商品等の販売が行われる。
【０１１６】
また、広告提供者側におけるこのような割引を、広告サーバ４０により自動的に行うことも可能である。
例えば、成績情報と割引率の情報を保有するテーブルを広告サーバ４０に保有させ、これを用いて割引判定処理を行うことができる。この場合、受信した成績情報にもとづいて、対応する割引率を取得し、割引率が０であれば割引をせず、割引率が０でなければ、その割引率での割引を実行するようにすることもできる（ステップ５３）。
【０１１７】
そして、その受講者に対する販売情報の登録等の販売処理を実行する（ステップ５４）。また、購入希望情報にクレジットカード番号を保有させることにより、販売処理において、決済処理を実行することも可能である。
さらに、管理サーバ３０に受講者のクレジットカード番号を登録しておくことにより、購入希望情報にクレジットカード番号を保有させることなく、登録済みのクレジットカードによる支払いを希望する旨を保有させるのみで、販売処理において、決済処理を実行するようにすることも可能である。
【０１１８】
販売処理が終了すると、広告サーバ４０は、その商品等を購入した受講者の受講者端末８０に販売を行ったことを示す販売情報を送信する（ステップ５５）。
そして、商品等が自動車や自動車関連商品などの物である場合には、受講者に対してその配達等が行われ、商品等が損害保険などである場合には、その所定の手続きが行われる。また、商品等が電子データである場合には、これを広告サーバ４０から受講者端末８０に送信することもできる。
【０１１９】
同様にして、エントランス端末５０から商品等の購入請求処理を行うことも可能である。
この場合、受講者コードは、エントランス端末５０に接続されたカードリーダ５０ａにより読み取ることが可能である。そして、教習所サーバ１０が、エントランス端末５０から購入希望情報と受講者コードを受信すると、この受講者コードにもとづいて、対応する受講者情報及び成績情報を受講者情報ＤＢ１０−２から取得する。そして、購入希望情報と、受講者情報及び成績情報とを管理サーバ３０に送信する。なお、この場合の受講者情報の取得については、図４におけるステップ１５と同様のものとすることができる。
そして、これ以降の処理については、図６におけるステップ５２〜ステップ５５と同様のものとすることができる。
【０１２０】
なお、教習所サーバ１０から成績証明書を発行し、広告提供者側が、この成績証明書にもとづいて、商品等を割引価格で提供するようにすることもできる。
例えば、自動車損害保険の契約時に、所定レベル以上の成績証明書を添付することで、保険料を割引価格で提供することなどが可能である。
また、成績に拘わらず、受講者カードの保有者全員に対し、所定の割引を提供可能であることは言うまでもない。
【０１２１】
次に、図７を参照して、各種事務及び教習処理手順について説明する。
まず、受講者が、エントランス端末５０に接続されたカードリーダ５０ａに受講者カードを挿入等することにより、エントランス端末５０に受講者コードが読み込まれて、この受講者コードが、教習所サーバ１０に送信される。これに対して、教習所サーバ１０の事務管理部１０−６が、受講者の認証を実行して、各種事務手続きを行うための画面をエントランス端末５０に送信する。そして、この画面を通じて、受講者は、自分の進捗情報の確認や、教習の予約等を行うことができる。
【０１２２】
このとき、エントランス端末５０は、受講者の操作により、進捗情報要求又は教習の予約情報等を入力し、これを教習所サーバ１０に送信する（ステップ７０）。
教習所サーバ１０は、進捗情報要求が送信されてきた場合、受講者コードにもとづいて、この受講者コードに対応する受講者の進捗情報を表示するために、受講者情報ＤＢ１０−２及びその他の情報ＤＢ群１０−３から必要なデータを抽出して、エントランス端末５０に送信して表示する。
また、予約情報が送信されてきた場合は、受講者コードにもとづいて、その予約情報をその他の情報ＤＢ群１０−３における所定のＤＢに登録する（ステップ７１）。
【０１２３】
さらに、予約の登録処理を行った場合、教習所サーバ１０は管理サーバ３０に対して、当該予約を行った受講者について予約を行ったことを示す予約受付情報を管理サーバ３０に送信する（ステップ７２）。このとき、この予約受付情報には、受講者の電子メールアドレスを保有させる。この電子メールアドレスは、受講者情報ＤＢ１０−２から受講者コードにもとづき取得するようにするほか、エントランス端末５０から予約時に入力可能とすることも好ましい。これについては、資料請求における場合と同様である。
これに対し、管理サーバ３０は、受講者端末８０で取得可能なように、受講者の電子メールアドレス宛に確認メール及び本日のプレゼントを送信する（ステップ７３）。
【０１２４】
また、受講者端末８０を使用して、通信回線を介して進捗確認や教習の予約等を行うことも可能である（ステップ７４，７５）。
進捗確認を行う場合、受講者端末８０は、教習所サーバ１０により提供されるホームページにアクセスして、受講者の操作により受講者コードを入力し、この受講者コードと進捗情報の要求を送信する。
これに対して、教習所サーバ１０は、所定の認証処理の実行後、受信した受講者コードに対応する受講者の進捗情報を表示するために、受講者情報ＤＢ１０−２及びその他の情報ＤＢ群１０−３から必要なデータを抽出し、受講者端末８０に送信して表示する。
【０１２５】
また、予約を行う場合、受講者端末８０は、教習所サーバ１０により提供されるホームページにアクセスして、受講者の操作により受講者コードを入力して送信し、所定の認証を受けた後に、予約情報を入力して送信する。
この場合、受講者の電子メールアドレスを入力可能とし、この電子メールアドレス宛に確認メール等の返信を可能とすることもできる。
これに対して、教習所サーバ１０は、受信した受講者コードにもとづいて、その予約情報をその他の情報ＤＢ群１０−３における所定のＤＢに登録する。
【０１２６】
さらに、予約の登録を行った場合、教習所サーバ１０は管理サーバ３０に対し、当該予約を行った受講者について予約を行ったことを示す予約受付情報を管理サーバ３０に送信する（ステップ７６）。
そして、管理サーバ３０は、受講者端末８０に対して予約確認メールと、本日のプレゼントを送信する（ステップ７７）。また、受講者端末８０で取得可能なように、受講者の電子メールアドレス宛に確認メール及び本日のプレゼントを送信するようにすることもできる。
【０１２７】
また、学科教習時に、教官は、教習端末６０から教習所サーバ１０にインストールされている学科教習ソフトウェアを実行することにより、学科教習を教授することができる（ステップ７８，７９）。また、この教習端末６０から教習所サーバ１０にインストールされている自動車教習所管理ソフトウェアを実行することにより、個人進捗データの呼び出し、予約確認、入金管理、適性、教習原簿、講習進捗情報管理、成績管理等を行うことも好ましい。
【０１２８】
さらに、各種事務情報の照会や登録、更新処理等は、事務端末７０から教習所サーバ１０にインストールされている自動車教習所管理ソフトウェアを実行することにより行うことができる（ステップ８０，８１）。
なお、ステップ７０〜ステップ７３、ステップ７４〜ステップ７７、ステップ７８〜ステップ７９、ステップ８０〜ステップ８１は、それぞれひとまとまりの処理であり、これらひとまとまりの処理毎にその順序が入れ替わってもかまわない。
【０１２９】
以上説明したように、本実施形態の教習所システムによれば、受講者に対して適切に広告情報を提供することができ、受講者からの自動車関連商品等についての資料請求を促進させることが可能となる。
その結果、広告提供者側にとっては、自動車教習所における受講者に対して効果的な広告を行うことができ、売上の向上を期待することが可能になるとともに、教習所側や教習所システムの管理者にとっては、このような広告提供者側からの広告収入を得ることが可能となる。また、受講者にとっても商品等の情報を効果的に得ることができるのみならず、本日のプレゼントや所定の割引サービスなどを受けることが可能となる。
また、教習所側や教習所システムの管理者は、表示装置２０の傍らにショップカードを設置することで、そのショップカードによって広告を提供する地域ディーラーやショップから、ショップカード設置代金を見込むこともできる。
【０１３０】
さらに、受講者カードにクレジットカード機能を付加することにより、教習所側や教習所システムの管理者は、カード発行手数料収入や会員利用残高に応じた手数料収入を見込むこともできる。
また、本発明の教習所システムによって、広告提供者側や教習所側、管理者側に発生する収益の一部を、「交通遺児支援基金」としてプールすることによって、交通遺児の生活保護や教育支援などに役立てていくことも可能である。
【０１３１】
なお、本発明は以上の実施形態に限定されるものではなく、本発明の範囲内において、種々の変更実施が可能であることは言うまでもない。
例えば、本実施形態では、資料請求及び予約に対する確認メールや本日のプレゼントの送信を管理サーバ３０により実行しているが、確認メールや本日のプレゼントを教習所サーバ１０に保有させるとともに、本日のプレゼントを管理サーバ３０から教習所サーバ１０へ配信することで、教習所サーバ１０により実行するようにするなど適宜変更することが可能である。
【産業上の利用可能性】
【０１３２】
本発明は、自動車教習所において好適に利用可能なものである。
【図面の簡単な説明】
【０１３３】
【図１】本発明の一実施形態の教習所システムの構成を示すブロック図である。
【図２】本発明の一実施形態の教習所システムにおける教習所サーバの構成を示すブロック図である。
【図３】本発明の一実施形態の教習所システムにおける管理サーバの構成を示すブロック図である。
【図４】本発明の一実施形態の教習所システムにおけるエントランス端末からの資料請求処理手順を示す動作手順図である。
【図５】本発明の一実施形態の教習所システムにおける受講者端末からの資料請求処理手順を示す動作手順図である。
【図６】本発明の一実施形態の教習所システムにおける購入申込処理手順を示す動作手順図である。
【図７】本発明の一実施形態の教習所システムにおける各種事務及び教習処理手順を示す動作手順図である。
【符号の説明】
【０１３４】
１０  教習所サーバ
１０−１  映像ＤＢ
１０−２  受講者情報ＤＢ
１０−３  その他の情報ＤＢ群
１０−４  映像出力部
１０−５  資料請求処理部
１０−６  事務管理部
１０−７  教習管理部
２０  表示装置
３０  管理サーバ
３０−１  配信ＤＢ
３０−２  景品ＤＢ
３０−３  広告メールＤＢ
３０−４  映像配信部
３０−５  請求確認部
３０−６  受講者情報提供部
３０−７  成績確認部
３０−８  広告メール配信部
４０  広告サーバ
５０  エントランス端末
５０ａ  カードリーダ
６０  教習端末
６０ａ  カードリーダ
７０  事務端末
８０  受講者端末
９０  通信回線
【図１】
2005234843.tif 000003
【図２】
2005234843.tif 000004
【図３】
2005234843.tif 000005
【図４】
2005234843.tif 000006
【図５】
2005234843.tif 000007
【図６】
2005234843.tif 000008
【図７】
2005234843.tif 000009